(57)【要約】【課題】狭いスペースであっても分岐ケーブルを支持物に容易に固定でき、分岐ケーブルを固定する際の作業性が良好であり、かつ、特性を劣化させることなく分配器の直近で分岐ケーブルを支持物に固定可能なケーブル固定金具を提供する。【解決手段】放送システムの複数の送信アンテナに一端がそれぞれ接続されると共に分配器１０に他端が接続され、分配器１０で分配された給電信号を複数の送信アンテナにそれぞれ給電する複数の分岐ケーブル１１を、支持物１２に固定するためのものであって、複数の取付孔２ａが形成された枠体２と、取付孔２ａに着脱自在に固定され、枠体２を支持物１２に固定する支持物固定部品３と、取付孔２ａに着脱自在に固定され、分配器１０から延出された複数の分岐ケーブル１１の相対的な位置関係を維持したまま、複数の分岐ケーブル１１のそれぞれを枠体２に固定する複数の分岐ケーブル固定部品４とを備えた。【選択図】図１
2012205074.tif 000002
【特許請求の範囲】
【請求項１】
放送システムの複数の送信アンテナに一端がそれぞれ接続されると共に、主給電線が接続される分配器に他端が接続され、主給電線で給電され分配器で分配された給電信号を前記複数の送信アンテナにそれぞれ給電する複数の分岐ケーブルを、支持物に固定するためのケーブル固定金具であって、
複数の取付孔が形成された枠体と、
前記取付孔に着脱自在に固定され、前記枠体を前記支持物に固定する支持物固定部品と、
前記取付孔に着脱自在に固定され、前記分配器から延出された前記複数の分岐ケーブルの相対的な位置関係を維持したまま、前記複数の分岐ケーブルのそれぞれを前記枠体に固定する複数の分岐ケーブル固定部品と、
を備えたことを特徴とするケーブル固定金具。
【請求項２】
前記枠体は、正８角形状に形成され、その８つの面のうち、少なくとも隣り合う３つの面と該３つの面のそれぞれと対向する面とに、前記取付孔がそれぞれ形成されている
請求項１記載のケーブル固定金具。
【請求項３】
前記支持物は、前記送信アンテナが設置される鉄塔あるいは円管柱であり、
前記取付孔に着脱自在に固定され、前記分配器を前記枠体に固定する分配器固定部品をさらに備えた
請求項１または２記載のケーブル固定金具。
【請求項４】
前記支持物は、前記分配器である
請求項１または２記載のケーブル固定金具。
【請求項５】
正８角形状に形成され、その８つの面のうち、少なくとも隣り合う３つの面と該３つの面のそれぞれと対向する面とに、取付孔がそれぞれ形成された枠体と、
前記取付孔に着脱自在に固定され、前記枠体を前記支持物に固定する支持物固定部品と、
前記取付孔に着脱自在に固定され、ケーブルを前記枠体に固定する複数のケーブル固定部品と、
を備えたことを特徴とするケーブル固定金具。
【発明の詳細な説明】
【技術分野】
【０００１】
本発明は、放送システムの複数の送信アンテナに給電する複数の分岐ケーブルを支持物に固定するためのケーブル固定金具に関するものである。
【背景技術】
【０００２】
図７に示すように、テレビやラジオなどの放送システム７１では、送信機７２から送出された給電信号は、主給電線７３を経て分配器（給電部品とも呼ばれる）７４で分配され、複数の分岐ケーブル７５を経て複数の送信アンテナ７６へそれぞれ給電されるようになっている（例えば、特許文献１参照）。
【０００３】
送信アンテナ７６は、鉄塔の上部など高所に設置されており、分配器７４と分岐ケーブル７５も送信アンテナ７６近傍の高所に配置されるのが一般的である。
【０００４】
分配器７４と送信アンテナ７６とを接続する分岐ケーブル７５は、ケーブル固定金具を用いて、鉄塔や円管柱などの支持物の定められた位置に固定される。同様に、分配器７４も、固定金具を用いて支持物に固定される。
【０００５】
従来、ケーブル固定金具としては、分岐ケーブル７５を個別に支持物に固定するものを用いていた。つまり、従来、任意の固定箇所１箇所につき、１個のケーブル固定金具を使用していた。具体的には、例えば分配器７４が４分配であれば、４本の分岐ケーブル７５を支持物に固定するために、４つのケーブル固定金具を用いていた。
【先行技術文献】
【特許文献】
【０００６】
【特許文献１】特開２００５−１７５７９２号公報
【特許文献２】特開２００５−２７８２５０号公報
【発明の概要】
【発明が解決しようとする課題】
【０００７】
しかしながら、従来のケーブル固定金具では、固定箇所１箇所につき１個使用する必要があるため、分岐ケーブル７５の本数が多い場合には、多数のケーブル固定金具が必要となり、分岐ケーブル７５を固定するために非常に場所をとってしまうという問題がある。
【０００８】
支持物である鉄塔や円管柱の上部には、限られた狭いスペースしかないため、従来のケーブル固定金具では、鉄塔もしくは円管柱の上部という高所で、狭いスペースに多数のケーブル固定金具を使用して分岐ケーブル７５の固定作業を行わなければならず、非常に作業性が悪い。
【０００９】
また、分配器７４の系統が複雑な場合には、固定したい部分を固定できないケースもある。
【００１０】
具体的には、分岐ケーブル７５は屋外に配置されるため風の影響を受けるが、この風の影響により分岐ケーブル７５と分配器７４との接続部に負荷がかからないように、分配器７４の直近で分岐ケーブル７５を支持物に固定したいという要求がある。しかし、図８に示すように、従来技術では同じケーブル固定金具８１を用いて分岐ケーブル７５を支持物（鉄塔や円管柱）８２に固定するので、分配器７４の直近で分岐ケーブル７５を曲げて、分岐ケーブル７５を支持物８２に固定する必要が生じる。このような分配器７４の直近での分岐ケーブル７５の曲げの作業は、分岐ケーブル７５と分配器７４との接続部にて座屈が発生しないよう、細心の注意を払って行う必要があり、非常に作業性が悪い。さらには、曲げにより分岐ケーブル７５と分配器７４との接続部に負荷がかかるため、座屈まで至らずとも特性劣化が発生してしまう場合もある。このような作業性や特性劣化の問題から、従来のケーブル固定金具８１を用いた場合には、要求通りに分配器７４の直近で分岐ケーブル７５を支持物８２に固定することができない場合がある。
【００１１】
本発明は上記事情に鑑み為されたものであり、狭いスペースであっても分岐ケーブルを支持物に容易に固定でき、分岐ケーブルを固定する際の作業性が良好であり、かつ、特性を劣化させることなく分配器の直近で分岐ケーブルを支持物に固定可能なケーブル固定金具を提供することを目的とする。
【課題を解決するための手段】
【００１２】
本発明は上記目的を達成するために創案されたものであり、放送システムの複数の送信アンテナに一端がそれぞれ接続されると共に、主給電線が接続される分配器に他端が接続され、主給電線で給電され分配器で分配された給電信号を前記複数の送信アンテナにそれぞれ給電する複数の分岐ケーブルを、支持物に固定するためのケーブル固定金具であって、複数の取付孔が形成された枠体と、前記取付孔に着脱自在に固定され、前記枠体を前記支持物に固定する支持物固定部品と、前記取付孔に着脱自在に固定され、前記分配器から延出された前記複数の分岐ケーブルの相対的な位置関係を維持したまま、前記複数の分岐ケーブルのそれぞれを前記枠体に固定する複数の分岐ケーブル固定部品と、を備えたケーブル固定金具である。
【００１３】
前記枠体は、正８角形状に形成され、その８つの面のうち、少なくとも隣り合う３つの面と該３つの面のそれぞれと対向する面とに、前記取付孔がそれぞれ形成されていてもよい。
【００１４】
前記支持物は、前記送信アンテナが設置される鉄塔あるいは円管柱であり、前記取付孔に着脱自在に固定され、前記分配器を前記枠体に固定する分配器固定部品をさらに備えてもよい。
【００１５】
前記支持物は、前記分配器であってもよい。
【００１６】
また、本発明は、正８角形状に形成され、その８つの面のうち、少なくとも隣り合う３つの面と該３つの面のそれぞれと対向する面とに、取付孔がそれぞれ形成された枠体と、前記取付孔に着脱自在に固定され、前記枠体を前記支持物に固定する支持物固定部品と、前記取付孔に着脱自在に固定され、ケーブルを前記枠体に固定する複数のケーブル固定部品と、を備えたケーブル固定金具である。
【発明の効果】
【００１７】
本発明によれば、狭いスペースであっても分岐ケーブルを支持物に容易に固定でき、分岐ケーブルを固定する際の作業性が良好であり、かつ、特性を劣化させることなく分配器の直近で分岐ケーブルを支持物に固定可能なケーブル固定金具を提供できる。
【図面の簡単な説明】
【００１８】
【図１】（ａ）は、本発明の一実施の形態に係るケーブル固定金具を用いて分岐ケーブルを支持物に固定したときの側面図であり、（ｂ）はその１Ｂ−１Ｂ線断面図、（ｃ）はケーブル固定金具の正面図である。
【図２】図１のケーブル固定金具における枠体の分解斜視図である。
【図３】本発明において、ケーブル固定金具で分岐ケーブルと分配器を支持物に固定する場合を示す図であり、（ａ）は、ケーブル固定金具を用いて分岐ケーブルと分配器を支持物に固定したときの側面図であり、（ｂ）はその３Ｂ−３Ｂ線断面図、（ｃ）はその３Ｃ−３Ｃ線断面図である。
【図４】（ａ），（ｂ）は、本発明において、３分配に対応させる場合のケーブル固定金具の正面図である。
【図５】本発明において、４分配に対応させる場合のケーブル固定金具の正面図である。
【図６】本発明において、８分配に対応させる場合を示す図であり、（ａ）は、２つのケーブル固定金具を用いて分岐ケーブルを支持物に固定したときの側面図であり、（ｂ）はその６Ｂ−６Ｂ線断面図、（ｃ）はその６Ｃ−６Ｃ線断面図である。
【図７】一般的な放送システムの概略構成図である。
【図８】従来のケーブル固定金具を用いて分岐ケーブルを支持物に固定したときの側面図である。
【発明を実施するための形態】
【００１９】
以下、本発明の実施の形態を添付図面にしたがって説明する。
【００２０】
図１（ａ）は、本実施の形態に係るケーブル固定金具を用いて分岐ケーブルを支持物に固定したときの側面図であり、図１（ｂ）はその１Ｂ−１Ｂ線断面図、図１（ｃ）はケーブル固定金具の正面図である。
【００２１】
図１（ａ）〜（ｃ）に示すように、ケーブル固定金具１は、分配器１０から延出された複数の分岐ケーブル１１を支持物１２に固定するためのものである。
【００２２】
複数の分岐ケーブル１１は、放送システムの複数の送信アンテナ（図示せず）に一端がそれぞれ接続されると共に、主給電線１３が接続される分配器１０に他端が接続され、主給電線１３で給電され分配器１０で分配された給電信号を複数の送信アンテナにそれぞれ給電するものである。分岐ケーブル１１、主給電線１３としては、同軸ケーブル（高周波同軸ケーブル）が用いられる。
【００２３】
分配器１０は、放送システムで一般に使用されているものであり、給電部品（高周波同軸給電部品）とも呼ばれるものである。ここでは、分配器１０として２分配のものを用いた場合を説明する。この場合、２本の分岐ケーブル１１を用いることになるので、ケーブル固定金具１は、この２本の分岐ケーブル１１を支持物１２に固定するように構成される。支持物１２は、放送システムの複数の送信アンテナが設置される鉄塔や円管柱である。
【００２４】
ケーブル固定金具１は、複数の取付孔２ａが形成された枠体２と、取付孔２ａに着脱自在に固定され、枠体２を支持物１２に固定する支持物固定部品３と、取付孔２ａに着脱自在に固定され、複数（ここでは２本）の分岐ケーブル１１のそれぞれを枠体２に固定する複数（ここでは２つ）の分岐ケーブル固定部品４と、を備えている。
【００２５】
図１および図２に示すように、枠体２は、正面視で正８角形状に形成され、その８つの面のうち、対向する２つの面を除く６つの面、すなわち、隣り合う３つの面と該３つの面のそれぞれと対向する面とに、取付孔２ａがそれぞれ形成されている。
【００２６】
本実施の形態では、枠体２は、取付孔２ａが形成されていない対向する２つの面の中央部にて分割されて２分割構成となっている。分割された分割枠体２１，２２のそれぞれは、金属板を折り曲げ加工して形成され、同じ形状に形成される。
【００２７】
また、両分割枠体２１，２２の両端部にはフランジ部２ｂが形成されている。フランジ部２ｂには貫通孔２ｃが形成されており、両分割枠体２１，２２のフランジ部２ｂを重ね合わせた状態で貫通孔２ｃにボルト５を通し、ボルト５にナット６を螺合して締結することで、両分割枠体２１，２２が一体とされるように構成されている。
【００２８】
なお、本実施の形態では、製造が容易となるように枠体２を２分割構成とし、枠体２の８つの面のうち対向する２つの面にフランジ部２ｂを形成したため、フランジ部２ｂを形成していない６つの面に取付孔２ａをそれぞれ形成したが、枠体２を分割構成としない場合などフランジ部２ｂを省略可能な場合（あるいは、フランジ部２ｂを隣り合う面の間の角部に形成した場合）は、８つの面全てに取付孔２ａを形成することも可能である。
【００２９】
支持物固定部品３は、少なくとも両端部にネジ山が形成されたボルトからなり、その一端を取付孔２ａに挿入した状態で、２つのナット６で枠体２を挟み込むように締結することで、枠体２に固定される。同様に、支持物固定部品３は、その他端を支持物１２に形成された孔（図示せず）に挿入した状態で、２つのナット６で支持物１２を挟み込むように締結することで、支持物１２に固定される。ナット６による締結位置を調節することで、支持物１２から枠体２までの距離を調節することが可能である。
【００３０】
分岐ケーブル固定部品４は、一端部にネジ山が形成され、他端部（頭部）に断面視で円弧状の分岐ケーブル固定部４ａが形成されたものである。分岐ケーブル固定部品４は、その一端を取付孔２ａに挿入した状態で、２つのナット６で枠体２を挟み込むように締結することで、枠体２に固定される。ナット６による締結位置を調節することで、枠体２から分岐ケーブル固定部４ａ（分岐ケーブル１１）までの距離を調節することが可能である。
【００３１】
分岐ケーブル固定部品４を枠体２に固定する際には、分岐ケーブル固定部４ａの円弧状の面が分岐ケーブル１１の外周に沿うようにする。このとき、分岐ケーブル固定部４ａは、枠体２から突出する（分岐ケーブル１１の長手方向に沿って突出する）ようになっており、その突出した部分にバンド７を取り付けることで、当該バンド７により分岐ケーブル１１を分岐ケーブル固定部品４に固定するようになっている。バンド７としては、例えば、ステンレス製のホースバンドを用いるとよい。
【００３２】
これにより、分岐ケーブル１１は、分岐ケーブル固定部品４、枠体２、支持物固定部品３を介して、支持物１２に固定されることになる。分岐ケーブル固定部品４、枠体２、支持物固定部品３としては、例えば、ステンレス製のものを用いるとよい。
【００３３】
本実施の形態に係るケーブル固定金具１では、分配器１０から延出された複数（ここでは２本）の分岐ケーブル１１の相対的な位置関係を維持したまま、分岐ケーブル１１のそれぞれを分岐ケーブル固定部品４で枠体２に固定するようになっている。
【００３４】
２分配の分配器１０では、一般に分配器１０の対角位置から分岐ケーブル１１が延出されるため、本実施の形態では、両分岐ケーブル１１に対応するように、２つの分岐ケーブル固定部品４を対向する取付孔２ａにそれぞれ設ける。また、分配器１０の出力端における２本の分岐ケーブル１１の位置関係を維持したまま分岐ケーブル１１を固定できるように、分岐ケーブル固定部品４、枠体２、支持物固定部品３の位置関係（すなわちナット６の締結位置）を適宜調節する。
【００３５】
このとき、枠体２の中心（正面視における中心）から分岐ケーブル１１までの距離が等しくなるように、分岐ケーブル固定部品４、枠体２、支持物固定部品３の位置関係を適宜調節することが望ましい。換言すれば、枠体２の中心（正面視における中心）を中心とする同一円周上に分岐ケーブル１１が配置されるように、各部の寸法を適宜調節することが望ましい。
【００３６】
本実施の形態では、分岐ケーブル１１のみを支持物１２に固定するようにケーブル固定金具１を構成したが、図３に示すように、分岐ケーブル１１が主給電線１３側に延出されているような場合は、分岐ケーブル１１のみならず、分配器１０も支持物１２に固定するようにケーブル固定金具１を構成することができる。
【００３７】
この場合、ケーブル固定金具１に、取付孔２ａに着脱自在に固定され、分配器１０を枠体２に固定する分配器固定部品３１をさらに備え、分配器１０を、分配器固定部品３１、枠体２、支持物固定部品３を介して支持物１２に固定するようにすればよい。分配器固定部品３１は、分配器１０を固定する断面視で円弧状の分配器固定部３２を有しており、その分配器固定部３２にバンド３３を用いて分配器１０（分配器１０の円柱状の部分）を固定することで、分配器１０が分配器固定部品３１に固定される。このとき、分配器１０が枠体２の中心（正面視における中心）に位置するように、ナット６の締結位置を適宜調節するとよい。
【００３８】
なお、図３では、分配器固定部品３１と支持物固定部品３とを一体に形成した場合を示しているが、分配器固定部品３１と支持物固定部品３とを別体に形成することも当然可能である。
【００３９】
ここで、図３（ｂ），（ｃ）を用いて、ケーブル固定金具１の各部の寸法について説明しておく。
【００４０】
ケーブル固定金具１における枠体２の対向する面間の距離Ｌ１は、適用される分配器１０の大きさに応じて、適宜設定すればよい。ただし、図３のように分配器１０を枠体２内に配置する場合は、分岐ケーブル固定部品４が分配器１０に干渉してしまわないように、距離Ｌ１を十分大きくする必要がある。
【００４１】
さらに、枠体２の中心（正面視における中心）から、分岐ケーブル固定部品４に固定した分岐ケーブル１１の中心（断面視における中心）までの距離Ｌ２は、分配器１０における中心（正面視における中心）から分配器１０の出力端における分岐ケーブル１１の中心（断面視における中心）までの距離Ｌ３と等しくされる。これにより、分配器１０から延出された分岐ケーブル１１を、曲げることなく固定することが可能となり、分岐ケーブル１１への負担を最小限に抑え、且つ外観上も整然とした状態を保つことが可能となる。
【００４２】
本実施の形態では、一例として、分配器１０が２分配であり、ケーブル固定金具１により２本の分岐ケーブル１１を支持物１２に固定する場合を説明したが、分岐ケーブル固定部品４の個数や、分岐ケーブル固定部品４を取り付ける位置（取付孔２ａ）を適宜選択することで、３分配、４分配の分配器１０にも対応可能である。
【００４３】
具体的には、３分配に対応する場合は、分配器１０の出力端における分岐ケーブル１１の位置関係に応じて、図４（ａ）あるいは図４（ｂ）に示すように、３つの分岐ケーブル固定部品４を枠体２に設けるようにすればよい。図４（ａ）では、枠体２における８つの面の１つおきに３つの分岐ケーブル固定部品４と支持物固定部品３を順次取り付けた場合を示しており、図４（ｂ）では、一方の分割枠体２１の中央の面に分岐ケーブル固定部品４を取り付け、他方の分割枠体２２の中央の面に支持物固定部品３を取り付けると共に、支持物固定部品３を取り付けた面の両隣の面にそれぞれ分岐ケーブル固定部品４を取り付けて、断面視で三角形状に配置された分岐ケーブル１１に対応するよう構成した場合を示している。
【００４４】
４分配に対応する場合は、図５に示すように、枠体２における８つの面の１つおきに４つの分岐ケーブル固定部品４を取り付け、残りの２つの取付孔２ａのいずれか一方に支持物固定部品３を取り付けるようにすればよい。
【００４５】
さらに、ケーブル固定金具１を２つ用いることにより、６分配、８分配にも対応可能である。一例として、８分配の場合を図６に示す。
【００４６】
図６に示すように、８分配の分配器１０では、図６（ａ）における左側に４本の分岐ケーブル１１、図６（ａ）における右側に４本の分岐ケーブル１１がそれぞれ延出されている。よって、４分配に対応したケーブル固定金具１を２つ用いることで、８本の分岐ケーブル１１を支持物１２に固定することが可能である。
【００４７】
図６（ａ）における左側のケーブル固定金具１は、図５で説明したものと同じものである。図６（ａ）における右側のケーブル固定金具１は、支持物固定部品３と一体に分配器固定部品３１をさらに設け、４本の分岐ケーブル１１と分配器１０とを支持物１２に固定するように構成したものである。
【００４８】
このように、ケーブル固定金具１によれば、支持物固定部品３や分岐ケーブル固定部品４を取り付ける位置（取付孔２ａ）を適宜選択し、レイアウトを適宜選択することで、２分配、３分配、４分配、６分配、８分配の分配器１０にそれぞれ対応可能である。一般に使用されている放送システム用の分配器１０は、２分配、３分配、４分配、６分配、８分配のものが殆どであり、８分配よりも多く分配したい場合には多段に分配器１０を設けるのが一般的である。つまり、ケーブル固定金具１によれば、現在一般に使用されている殆ど全ての分配器１０に対応することが可能である。
【００４９】
本実施の形態の作用を説明する。
【００５０】
本実施の形態に係るケーブル固定金具１では、複数の取付孔２ａが形成された枠体２と、取付孔２ａに着脱自在に固定され、枠体２を支持物１２に固定する支持物固定部品３と、取付孔２ａに着脱自在に固定され、分配器１０から延出された複数の分岐ケーブル１１の相対的な位置関係を維持したまま、複数の分岐ケーブル１１のそれぞれを枠体２に固定する複数の分岐ケーブル固定部品４と、を備えている。
【００５１】
これにより、複数の分岐ケーブル１１を１つの金具で支持物１２に固定することが可能となり、狭いスペースであっても分岐ケーブル１１を支持物１２に容易に固定することが可能となり、分岐ケーブル１１を固定する際の作業性を向上できる。よって、鉄塔上部など高所においても安全に分岐ケーブル１１の固定作業を行うことができ、また高所での作業時間も短縮できる。
【００５２】
また、ケーブル固定金具１では、分配器１０から延出された複数の分岐ケーブル１１の相対的な位置関係を維持したまま、複数の分岐ケーブル１１のそれぞれを枠体２に固定するため、分岐ケーブル１１を曲げて特性を劣化させることなく、分配器１０の直近で分岐ケーブル１１を支持物１２に固定することが可能である。よって、風などの影響により分岐ケーブル１１と分配器１０との接続部に負荷がかからないようにすることができる。
【００５３】
さらに、ケーブル固定金具１では、枠体２を正８角形状に形成し、その８つの面のうち、少なくとも隣り合う３つの面と該３つの面のそれぞれと対向する面とに、取付孔２ａをそれぞれ形成しているため、支持物固定部品３や分岐ケーブル固定部品４を取り付ける取付孔２ａを適宜選択することで、２分配、３分配、４分配の分配器１０に対応することが可能である。また、ケーブル固定金具１を複数用いることで、６分配、８分配の分配器１０にも対応可能であり、汎用性が非常に高い。
【００５４】
さらにまた、ケーブル固定金具１によれば、取付孔２ａに着脱自在に固定され、分配器１０を枠体２に固定する分配器固定部品３１をさらに備えることで、分岐ケーブル１１と分配器１０を同一の金具で固定することが可能となり、分配器１０を高所で固定する手間を省き作業性を向上できる。
【００５５】
本発明は上記実施の形態に限定されるものではなく、本発明の趣旨を逸脱しない範囲で種々の変更を加え得ることは勿論である。
【００５６】
上記実施の形態では、支持物１２が鉄塔や円管柱である場合を説明したが、例えば、分岐ケーブル１１を直接鉄塔や円管柱に固定することが困難であり、かつ、分配器１０が鉄塔や円管柱に別途固定されているような場合は、分岐ケーブル１１を分配器１０に固定するようにケーブル固定金具１を構成してもよい。この場合、分岐ケーブル１１を支持させる支持物が分配器１０となる。具体的な構造としては、例えば、図３（ｂ）に示すケーブル固定金具１において、支持物固定部品３の部分を省略した構造とすればよい。
【００５７】
また、上記実施の形態では、分岐ケーブル１１を支持物１２に固定する場合を説明したが、分岐ケーブル１１に限らず、任意のケーブルを支持物１２に固定する際にも、ケーブル固定金具１を当然に用いることができる。
【００５８】
さらに、上記実施の形態では、枠体２の中心（正面視における中心）から分岐ケーブル１１までの距離が等しくなるように、各部の寸法を調節したが、例えば、支持物１２への固定位置が制限される場合など、枠体２の中心が、各分岐ケーブル１１の中心（断面視における中心）を通る円の中心からずれてしまう場合については、各分岐ケーブル固定部品４の長さ（つまり枠体２の中心から分岐ケーブル１１までの距離）を適宜調節して、分配器１０から延出された各分岐ケーブル１１の相対的な位置関係を維持するようにしてもよい。
【符号の説明】
【００５９】
１  ケーブル固定金具
２  枠体
２ａ  取付孔
３  支持物固定部品
４  分岐ケーブル固定部品
１０  分配器
１１  分岐ケーブル
１２  支持物
１３  主給電線
【図１】
2012205074.tif 000003
【図２】
2012205074.tif 000004
【図３】
2012205074.tif 000005
【図４】
2012205074.tif 000006
【図５】
2012205074.tif 000007
【図６】
2012205074.tif 000008
【図７】
2012205074.tif 000009
【図８】
2012205074.tif 000010